(57)【要約】【課題】各通信端末が、最大通信セクタ数以上のセクタとの間で設定されたチャネルを用いて通信を行うことを回避することによって、移動通信システム側の負荷を低減する。【解決手段】本発明に係る通信端末ＡＴは、所定のパイロット信号の受信品質を含むチャネル情報報告を送信することによって各チャネルについてハンドオフ候補とするように構成されており、各チャネルについてパイロット信号の受信品質に基づいてハンドオフ候補とすべきであるか否かについて判定するように構成されている判定部１５と、特定チャネルについてハンドオフ候補とすべきであると判定された場合で、かつ、当該特定チャネルをハンドオフ候補とすることによって当該通信端末においてチャネル設定可能なセクタ数が最大通信セクタ数以上となる場合、当該特定チャネルをハンドオフ候補とするチャネル情報報告を送信しないように構成されているチャネル情報報告送信部１６とを具備する。【選択図】図４
2007174346.tif 000002
【特許請求の範囲】
【請求項１】
所定のパイロット信号の受信品質を含むチャネル情報報告を送信することによって、各チャネルについてハンドオフ候補とするように構成されている通信端末であって、
各チャネルについて、パイロット信号の受信品質に基づいてハンドオフ候補とすべきであるか否かについて判定するように構成されている判定部と、
特定チャネルについてハンドオフ候補とすべきであると判定された場合で、かつ、該特定チャネルをハンドオフ候補とすることによって該通信端末においてチャネル設定可能なセクタ数が最大通信セクタ数以上となる場合、該特定チャネルについてハンドオフ候補とするチャネル情報報告を送信しないように構成されているチャネル情報報告送信部とを具備することを特徴とする通信端末。
【請求項２】
前記チャネル情報報告送信部は、前記特定チャネルについてハンドオフ候補とすべきであると判定された場合で、かつ、該特定チャネルをハンドオフ候補とすることによって該通信端末においてチャネル設定可能なセクタ数が前記最大通信セクタ数以上となる場合、前記所定のパイロット信号の受信品質を含むチャネル情報報告自体を送信しないことによって、該特定チャネルについてハンドオフ候補とするチャネル情報報告を送信しないように構成されていることを特徴とする請求項１に記載の通信端末。
【請求項３】
前記チャネル情報報告送信部は、前記特定チャネルについてハンドオフ候補とすべきであると判定された場合で、かつ、該特定チャネルをハンドオフ候補とすることによって該通信端末においてチャネル設定可能なセクタ数が前記最大通信セクタ数以上となる場合、内容を変更したチャネル情報報告を送信することによって、該特定チャネルについてハンドオフ候補とするチャネル情報報告を送信しないように構成されていることを特徴とする請求項１に記載の通信端末。
【請求項４】
所定のパイロット信号の受信品質を含むチャネル情報報告を用いて、通信端末において設定されている各チャネルについてハンドオフ候補とするように構成されている基地局制御装置であって、
前記所定のパイロット信号の受信品質を含むチャネル情報報報告を受信するように構成されているチャネル情報報告受信部と、
特定チャネルについてハンドオフ候補とするチャネル情報報報告を受信した場合で、かつ、該特定チャネルをハンドオフ候補とすることによって前記通信端末においてチャネルを設定可能なセクタ数が最大通信セクタ数以上となる場合、該特定チャネルに対してリソースを割り当てないように構成されているチャネル割り当て制御部とを具備することを特徴とする基地局制御装置。
【請求項５】
所定のパイロット信号の受信品質を含むチャネル情報報告を送信することによって、各チャネルについてハンドオフ候補とする移動通信方法であって、
通信端末において、各チャネルについて、パイロット信号の受信品質に基づいてハンドオフ候補とすべきであるか否かについて判定する工程と、
前記通信端末において、特定チャネルについてハンドオフ候補とすべきであると判定された場合で、かつ、該特定チャネルをハンドオフ候補とすることによって該通信端末においてチャネルを設定可能なセクタ数が最大通信セクタ数以上となる場合、該特定チャネルについてハンドオフ候補とするチャネル情報報告を送信しない工程とを有することを特徴とする移動通信方法。
【請求項６】
所定のパイロット信号の受信品質を含むチャネル情報報告を送信することによって、各チャネルについてハンドオフ候補とする移動通信方法であって、
通信端末において、各チャネルについて、パイロット信号の受信品質に基づいてハンドオフ候補とすべきであるか否かについて判定する工程と、
前記通信端末において、特定チャネルをハンドオフ候補とするチャネル情報報報告を送信する工程と、
基地局制御装置において、前記特定チャネルをハンドオフ候補とするチャネル情報報報告を受信した場合で、かつ、該特定チャネルをハンドオフ候補とすることによって該通信端末においてチャネルを設定可能なセクタ数が最大通信セクタ数以上となる場合、該特定チャネルに対してリソースを割り当てない工程とを有することを特徴とする移動通信方法。
【発明の詳細な説明】
【技術分野】
【０００１】
本発明は、所定のパイロット信号の受信品質を含むチャネル情報報告を送信することによって各チャネルについてハンドオフ候補とするように構成されている通信端末、所定のパイロット信号の受信品質を含むチャネル情報報告を用いて各チャネルについてハンドオフ候補とするように構成されている基地局制御装置、及び、所定のパイロット信号の受信品質を含むチャネル情報報告を送信することによって各チャネルについてハンドオフ候補とする移動通信方法に関する。
【背景技術】
【０００２】
近年、高速無線通信方式として、「ｃｄｍａ２０００  １ｘ-ＥＶ  ＤＯ方式」が開発されている。
【０００３】
「ｃｄｍａ２０００  １ｘ-ＥＶ  ＤＯ方式」が適用されている移動通信システムは、図１に示すように、複数の基地局（セクタαを管理する基地局や、セクタβを管理する基地局や、セクタγを管理する基地局等）と、各セクタα、β、γと通信端末ＡＴとの間で設定されているチャネルを用いて行われる通信を制御するように構成されている基地局制御装置ＰＣＦ（Ｐａｃｋｅｔ  Ｃｏｎｔｒｏｌ  Ｆｕｎｃｔｉｏｎ）とを具備している。
【０００４】
かかる移動通信システムでは、通信端末ＡＴが、１つ又は複数のセクタとの間で設定される複数のキャリア（マルチキャリア）を用いて通信を行うように構成されることが想定されている。
【特許文献１】特開２００２-３００６４４号公報
【発明の開示】
【発明が解決しようとする課題】
【０００５】
しかしながら、通信端末ＡＴが、複数のセクタとの間で設定されたチャネルを用いて同時に通信を行う場合、基地局制御装置ＰＣＦが、１つの通信端末ＡＴの通信に対して制御すべきセクタ数が増加するため、移動通信システム側の負荷が大きくなるという問題点があった。
【０００６】
そこで、本発明は、以上の点に鑑みてなされたもので、各通信端末が、最大通信セクタ数以上のセクタとの間で設定されたチャネルを用いて通信を行うことを回避することによって、移動通信システム側の負荷を低減する通信端末、基地局制御装置及び移動通信方法を提供することを目的とする。
【課題を解決するための手段】
【０００７】
本発明の第１の特徴は、所定のパイロット信号の受信品質を含むチャネル情報報告を送信することによって、各チャネルについてハンドオフ候補とするように構成されている通信端末であって、各チャネルについて、パイロット信号の受信品質に基づいてハンドオフ候補とすべきであるか否かについて判定するように構成されている判定部と、特定チャネルについてハンドオフ候補とすべきであると判定された場合で、かつ、該特定チャネルをハンドオフ候補とすることによって該通信端末においてチャネル設定可能なセクタ数が最大通信セクタ数以上となる場合、該特定チャネルについてハンドオフ候補とするチャネル情報報告を送信しないように構成されているチャネル情報報告送信部とを具備することを要旨する。
【０００８】
かかる発明によれば、チャネル情報報告送信部が、特定チャネルについてハンドオフ候補とすべきであると判定された場合であっても、かかる特定チャネルをハンドオフ候補とすることによって通信端末に尾低チャネル設定可能なセクタ数が最大通信セクタ数以上となる場合には、かかる特定チャネルについてハンドオフ候補とするチャネル情報報告を送信しないように構成されているため、各通信端末が、最大通信セクタ数以上のセクタとの間で設定されたチャネルを用いて通信を行うことを回避することができる。
【０００９】
本発明の第１の特徴において、前記チャネル情報報告送信部は、前記特定チャネルについてハンドオフ候補とすべきであると判定された場合で、かつ、該特定チャネルをハンドオフ候補とすることによって該通信端末においてチャネル設定可能なセクタ数が前記最大通信セクタ数以上となる場合、前記所定のパイロット信号の受信品質を含むチャネル情報報告自体を送信しないことによって、該特定チャネルについてハンドオフ候補とするチャネル情報報告を送信しないように構成されていてもよい。
【００１０】
かかる発明によれば、チャネル情報報告送信部が、特定チャネルについてハンドオフ候補とすべきであると判定された場合であっても、かかる特定チャネルをハンドオフ候補とすることによって通信端末においてチャネル設定可能なセクタ数が最大通信セクタ数以上となる場合には、所定条件が満たされた場合に又は所定周期で送信すべきとされているチャネル情報報告の送信を停止することによって、かかる特定チャネルについてハンドオフ候補とすることを回避し、各通信端末が、最大通信セクタ数以上のセクタとの間で設定されたチャネルを用いて通信を行うことを回避することができる。
【００１１】
本発明の第１の特徴において、前記チャネル情報報告送信部は、前記特定チャネルについてハンドオフ候補とすべきであると判定された場合で、かつ、該特定チャネルをハンドオフ候補とすることによって該通信端末においてチャネル設定可能なセクタ数が前記最大通信セクタ数以上となる場合、内容を変更したチャネル情報報告を送信することによって、該特定チャネルについてハンドオフ候補とするチャネル情報報告を送信しないように構成されていてもよい。
【００１２】
かかる発明によれば、チャネル情報報告送信部が、特定チャネルについてハンドオフ候補とすべきであると判定された場合であっても、かかる特定チャネルをハンドオフ候補とすることによって通信端末においてチャネル設定可能なセクタ数が最大通信セクタ数以上となる場合には、送信するチャネル情報報告において、かかる特定チャネル（周辺セクタから送信されるチャネル）についてのパイロット信号の受信品質を変更することによって、かかる特定チャネルについてハンドオフ候補とすることを回避し、各通信端末が、最大通信セクタ数以上のセクタとの間で設定されたチャネルを用いて通信を行うことを回避することができる。
【００１３】
本発明の第２の特徴は、所定のパイロット信号の受信品質を含むチャネル情報報告を用いて、通信端末において設定されている各チャネルについてハンドオフ候補とするように構成されている基地局制御装置であって、前記所定のパイロット信号の受信品質を含むチャネル情報報報告を受信するように構成されているチャネル情報報告受信部と、特定チャネルについてハンドオフ候補とするチャネル情報報報告を受信した場合で、かつ、該特定チャネルをハンドオフ候補とすることによって前記通信端末においてチャネルを設定可能なセクタ数が最大通信セクタ数以上となる場合、該特定チャネルに対してリソースを割り当てないように構成されているチャネル割り当て制御部とを具備することを要旨とする。
【００１４】
かかる発明によれば、チャネル割り当て制御部が、通信端末から特定チャネルをハンドオフ候補とするチャネル情報報報告を受信した場合であっても、かかる特定チャネルをハンドオフ候補とすることによって前記通信端末においてチャネル設定可能なセクタ数が最大通信セクタ数以上となる場合には、かかる特定チャネルに対してリソースを割り当てないように構成されているため、各通信端末が、最大通信セクタ数以上のセクタとの間で設定されたチャネルを用いて通信を行うことを回避することができる。
【００１５】
本発明の第３の特徴は、所定のパイロット信号の受信品質を含むチャネル情報報告を送信することによって、各チャネルについてハンドオフ候補とする移動通信方法であって、通信端末において、各チャネルについて、パイロット信号の受信品質に基づいてハンドオフ候補とすべきであるか否かについて判定する工程と、前記通信端末において、特定チャネルについてハンドオフ候補とすべきであると判定された場合で、かつ、該特定チャネルをハンドオフ候補とすることによって該通信端末においてチャネルを設定可能なセクタ数が最大通信セクタ数以上となる場合、該特定チャネルについてハンドオフ候補とするチャネル情報報告を送信しない工程とを有することを要旨とする。
【００１６】
本発明の第４の特徴は、所定のパイロット信号の受信品質を含むチャネル情報報告を送信することによって、各チャネルについてハンドオフ候補とする移動通信方法であって、通信端末において、各チャネルについて、パイロット信号の受信品質に基づいてハンドオフ候補とすべきであるか否かについて判定する工程と、前記通信端末において、特定チャネルをハンドオフ候補とするチャネル情報報報告を送信する工程と、基地局制御装置において、前記特定チャネルをハンドオフ候補とするチャネル情報報報告を受信した場合で、かつ、該特定チャネルをハンドオフ候補とすることによって該通信端末においてチャネルを設定可能なセクタ数が最大通信セクタ数以上となる場合、該特定チャネルに対してリソースを割り当てない工程とを有することを要旨とする。
【発明の効果】
【００１７】
以上説明したように、本発明によれば、各通信端末が、最大通信セクタ数以上のセクタとの間で設定されたチャネルを用いて通信を行うことを回避することによって、移動通信システム側の負荷を低減する通信端末、基地局制御装置及び移動通信方法を提供することができる。
【発明を実施するための最良の形態】
【００１８】
（本発明の第１の実施形態に係る移動通信システムの構成）
図１乃至図３を参照して、本発明の第１の実施形態に係る移動通信システムの構成について説明する。本実施形態に係る移動通信システムは、「ｃｄｍａ２０００  １ｘ-ＥＶ  ＤＯ方式」を適用しており、通信端末ＡＴは、１つ又は複数のセクタとの間で設定される複数のチャネル（マルチキャリア）を用いて通信を行うように構成されている。
【００１９】
具体的には、本実施形態に係る移動通信システムは、図１に示すように、複数の基地局（セクタαを管理する基地局や、セクタβを管理する基地局や、セクタγを管理する基地局等）と、各セクタα、β、γと通信端末ＡＴとの間で設定されているチャネルを用いて行われる通信を制御するように構成されている基地局制御装置ＰＣＦ（Ｐａｃｋｅｔ  Ｃｏｎｔｒｏｌ  Ｆｕｎｃｔｉｏｎ）とを具備している。
【００２０】
なお、本明細書では、基地局は、複数のエリアにおける通信端末の無線通信を制御するように構成されており、各エリアにおける通信端末の無線通信を制御する基地局の機能（例えば、アンテナ等）を「セクタ」を表現する。
【００２１】
本実施形態に係る基地局制御装置ＰＣＦは、通信端末ＡＴと各セクタα、β、γとの間で設定されているチャネルを用いて行われる通信を制御するように構成されている。
【００２２】
例えば、本実施形態に係る基地局制御装置ＰＣＦは、各セクタα、β、γに対して、通信端末ＡＴ宛てのデータを振り分ける機能を具備している。
【００２３】
本実施形態に係る通信端末ＡＴは、１つ又は複数のセクタとの間で設定される複数のチャネル（マルチキャリア）を用いて通信を行うように構成されている。図１の例では、通信端末ＡＴは、セクタα、β、γとの間で設定されるチャネルを用いて通信を行うように構成されている。
【００２４】
また、本実施形態に係る通信端末ＡＴは、基地局制御装置ＰＣＦに対して、所定のパイロット信号の受信品質（例えば、受信強度やＳＩＲやＣＩＲ等）を含むチャネル情報報告（ＲＵ）を送信することによって、各チャネルについてハンドオフ候補とするように構成されている。
【００２５】
ここで、チャネル情報報告は、所定のパイロット信号の受信品質として、かかる通信端末ＡＴとセクタとの間で設定されているチャネルについてのパイロット信号の受信品質や、かかる通信端末ＡＴの周辺セクタからのチャネルについてのパイロット信号の受信品質等を含むように構成されている。
【００２６】
なお、基地局制御装置ＰＣＦは、通信端末ＡＴから送信されたチャネル情報報告に含まれる所定のパイロット信号の受信品質に基づいて、特定チャネルについてのハンドオフ候補処理（特定チャネルに対するリソースの割り当て処理等）を行うように構成されている。
【００２７】
なお、本実施形態に係る通信端末ＡＴは、このように構成されている装置であればよく、無線通信端末であってもよいし、無線モジュールであってもよいし、カード端末であってもよい。
【００２８】
図２に示すように、本実施形態に係る通信端末ＡＴは、通信設定部１１と、通信パラメータ記憶部１２と、データ通信部１３と、パイロット信号監視部１４と、チャネル割り当て判定部１５と、チャネル情報報告送信部１６とを具備している。
【００２９】
通信設定部１１は、通信端末ＡＴによって行われるデータ通信（パケット通信）を行うためのトラフィックチャネル（ＴｒＣＨ）の設定処理を行うように構成されている。具体的には、通信設定部１１は、「ＣｏｎｎｅｃｔｉｏｎＲｅｑｕｅｓｔ」を送信することによって、かかるトラフィックチャネル（ＴｒＣＨ）の設定処理を行うように構成されている。
【００３０】
また、通信設定部１１は、基地局制御装置ＰＣＦから、かかるデータ通信を行うために必要な通信パラメータ（例えば、ハンドオフ候補閾値や最大同時通信セクタ数等）を取得するように構成されている。
【００３１】
例えば、通信設定部１１は、「ＴＣＡ：ＴｒａｆｆｉｃＣｈａｎｎｅｌＡｓｓｉｇｎｍｅｎｔ」によって、かかる通信パラメータを取得するように構成されていてもよい。
【００３２】
図３に、本実施形態にかかる移動通信システムで用いられる「ＴＣＡ」のフォーマットの一例を示す。具体的には、「ＴＣＡ」内の拡張されたフィールドである「ＭａｘＮｕｍＡＰ」に、最大同時通信セクタ数が設定される。
【００３３】
また、通信設定部１１は、任意のタイミングで、かかる通信パラメータを取得するように構成されていてもよい。この結果、通信パラメータは、任意のタイミングで更新され得るので、リアルタイムに基地局制御装置ＰＣＦの状況に適した値に設定され得る。
【００３４】
通信パラメータ記憶部１２は、通信設定部１１によって取得された通信パラメータを記憶するように構成されている。データ通信部１３は、通信パラメータ記憶部１２によって記憶されている通信パラメータを用いて、データ通信を行うように構成されている。
【００３５】
パイロット信号監視部１４は、通信設定部１１によって設定されているチャネル（キャリア）の各々について、パイロット信号の受信品質（例えば、受信強度やＳＩＲやＣＩＲ等）を監視するように構成されている。
【００３６】
また、パイロット信号監視部１４は、通信端末ＡＴの周辺セクタから送信されるチャネル（例えば、共通制御チャネル）についてのパイロット信号の受信品質（例えば、受信強度やＳＩＲやＣＩＲ等）を監視するように構成されている。
【００３７】
チャネル割り当て判定部１５は、通信設定部１１によって設定されているチャネルの各々について、パイロット信号監視部１４によって監視されているパイロット信号の受信品質に基づいてハンドオフ候補とすべきであるか否かについて判定するように構成されている。
【００３８】
具体的には、チャネル割り当て判定部１５は、特定チャネルについてのパイロット信号の受信品質がハンドオフ候補閾値を下回る場合、かかる特定チャネルについてハンドオフ候補とすべきであるか否かについて判定するように構成されている。
【００３９】
チャネル情報報告送信部１６は、チャネル割り当て判定部１５による判定結果に応じて、所定のパイロット信号の受信品質を含むチャネル情報報告（ＲＵ）を送信するように構成されている。
【００４０】
例えば、チャネル情報報告送信部１６は、特定チャネルについてハンドオフ候補とすべきであると判定された場合で、かつ、特定チャネルをハンドオフ候補とすることによって当該通信端末ＡＴにおいてチャネル設定可能なセクタ数が最大通信セクタ数以上となる場合、かかる特定チャネルをハンドオフ候補とするチャネル情報報告（ＲＵ）を送信しないように構成されている。
【００４１】
具体的には、チャネル情報報告送信部１６は、特定チャネルについてハンドオフ候補とすべきであると判定された場合で、かつ、特定チャネルをハンドオフ候補とすることによって当該通信端末ＡＴにおいてチャネル設定可能なセクタ数が最大通信セクタ数以上となる場合、通常時に所定条件が満たされた場合に又は所定周期で送信すべきとされているチャネル情報報告（ＲＵ）自体を送信しないように構成されていてもよい。
【００４２】
また、チャネル情報報告送信部１６は、特定チャネルについてハンドオフ候補とすべきであると判定された場合で、かつ、特定チャネルをハンドオフ候補とすることによって当該通信端末ＡＴにおいてチャネル設定可能なセクタ数が最大通信セクタ数以上となる場合、かかる特定チャネルをハンドオフ候補とする処理（リソースの割り当て処理）が行われないように内容を変更したチャネル情報報告（ＲＵ）を送信するように構成されていてもよい。
【００４３】
かかる場合、例えば、チャネル情報報告送信部１６は、送信すべきチャネル情報報告（ＲＵ）において、かかる特定チャネルについてのパイロット信号の受信品質について、パイロット信号監視部１４によって監視された結果よりも良好な値に設定するように構成されていてもよい。
【００４４】
また、かかる場合、チャネル情報報告送信部１６は、送信すべきチャネル情報報告（ＲＵ）において、周辺セクタから送信されるチャネルについてのパイロット信号の受信品質について、パイロット信号監視部１４によって監視された結果よりも悪い値に設定するように構成されていてもよい。
【００４５】
（本発明の第１の実施形態に係る移動通信システムの動作）
図１及び図３を参照して、本発明の第１の実施形態に係る移動通信システムの動作について説明する。本実施形態では、通信端末ＡＴは、図１に示すように、位置Ａ→位置Ｂ→位置Ｃ→位置Ｄの順に移動するものとする。また、本実施形態では、最大通信セクタ数は「３」であるものとする。
【００４６】
図４に示すように、ステップＳ１００１において、通信端末ＡＴは、位置Ａに存在しており、セクタαとの間で設定されているチャネルα１乃至α４を用いて通信を行っている。
【００４７】
ステップＳ１００２において、通信端末ＡＴは、位置Ａから位置Ｂに移動した結果、セクタβとの間で設定されるチャネルβ４（特定チャネル）についてのパイロット信号の受信品質がハンドオフ候補閾値を満たすため、チャネルβ４をハンドオフ候補とすべきであると判断する。
【００４８】
この際、チャネルβ４をハンドオフ候補とすることによって通信端末ＡＴにおいてチャネル設定可能なセクタ数（「２」：セクタα、β）が最大通信セクタ数（「３」）以上とならないので、ステップＳ１００３において、通信端末ＡＴは、チャネルβ４をハンドオフ候補とするチャネル情報報告（ＲＵ）を送信する。
【００４９】
具体的には、ステップＳ１００３において、通信端末ＡＴは、チャネルβ４をハンドオフ候補とするチャネル情報報告（ＲＵ）として、チャネルβ４についてのパイロット信号の受信品質がハンドオフ候補閾値を上回っているという内容を含むチャネル情報報告（ＲＵ）を送信する。ここで、チャネルα４は、ハンドオフ候補閾値を下回ったものとする。
【００５０】
ステップＳ１００４において、セクタαは、受信したチャネル情報報告（ＲＵ）に応じて、チャネルβ４をハンドオフ候補とするチャネル情報報告（ＲＵ）を通知するための「Ａ９-Ｓｅｔｕｐ-Ａ８」メッセージを基地局制御装置ＰＣＦに送信する。
【００５１】
ステップＳ１００５において、基地局制御装置ＰＣＦは、受信した「Ａ９-Ｓｅｔｕｐ-Ａ８」メッセージ（チャネル情報報報告）に応じて、セクタβにおいてチャネルβ４に対してリソースを割り当てる。
【００５２】
また、基地局制御装置ＰＣＦは、受信した「Ａ９-Ｓｅｔｕｐ-Ａ８」メッセージ（チャネル情報報報告）に応じて、セクタαにおいて、その受信品質がハンドオフ候補閾値を下回るチャネルα４に対するリソースの割り当てを終了する。
【００５３】
そして、基地局制御装置ＰＣＦは、「Ａ９-Ｃｏｎｎｅｃｔ-Ａ８」メッセージによって、かかるリソース割り当て結果（チャネルβ４）をセクタα及びセクタβに通知する。
【００５４】
ステップＳ１００６において、セクタαは、「ＴＣＡ」によって、通信端末ＡＴに対して、セクタβにおけるリソース割り当て結果（チャネルβ４）を通知する。
【００５５】
ステップＳ１００７において、通信端末ＡＴは、受信したＴＣＡに応じて、セクタαとの間で設定されているチャネルα１乃至α３、及び、セクタβとの間で設定されているチャネルβ４を用いて通信を行うことが可能になる。
【００５６】
ステップＳ１００８において、通信端末ＡＴは、位置Ｂから位置Ｃに移動した結果、セクタγとの間で設定されるセクタγとの間で設定されるチャネルγ３（特定チャネル）についてのパイロット信号の受信品質がハンドオフ候補閾値を満たすため、チャネルγ３をハンドオフ候補とすべきであると判断する。
【００５７】
この際、通信端末ＡＴは、チャネルγ３をハンドオフ候補とすべきであると判定するが、チャネルγ３をハンドオフ候補とすることによって通信端末ＡＴにおいてチャネル設定可能なセクタ数（「２」：セクタα、β、γ）が最大通信セクタ数（「３」）以上となるので、チャネルγ３をハンドオフ候補とするチャネル情報報告（ＲＵ）を送信しない（ステップＳ１００９参照）。
【００５８】
ここで、通信端末ＡＴは、チャネル情報報告（ＲＵ）自体を送信しないように構成されていてもよいし、チャネルγ３についてのパイロット信号の受信品質がハンドオフ候補閾値を下回っているという内容に変更したチャネル情報報告（ＲＵ）を送信するように構成されていてもよい。
【００５９】
この結果、通信端末ＡＴは、セクタαとの間で設定されているチャネルα１乃至α３、及び、セクタβとの間で設定されているチャネルβ４を用いて通信を行うことが可能な状態が継続される。
【００６０】
ステップＳ１０１０において、通信端末ＡＴは、位置Ｃから位置Ｄに移動した結果、チャネルα３及びβ４についてのパイロット信号の受信品質がハンドオフ候補閾値を下回るとともに、セクタγとの間で設定されるチャネルγ３及びγ４をハンドオフ候補とすべきであると判断する。
【００６１】
この際、チャネルγ３及びγ４をハンドオフ候補とすることによって、通信端末ＡＴにおいて、セクタβとの間でチャネルが設定されなくなり、チャネル設定可能なセクタ数（「２」：セクタα、γ）が最大通信セクタ数（「３」）以上とならないので、ステップＳ１０１１において、通信端末ＡＴは、チャネルγ３及びγ４をハンドオフ候補とするチャネル情報報告（ＲＵ）を送信する。
【００６２】
具体的には、ステップＳ１０１１において、通信端末ＡＴは、チャネルγ３及びγ４をハンドオフ候補とするチャネル情報報告（ＲＵ）として、チャネルγ３及びγ４についてのパイロット信号の受信品質がハンドオフ候補閾値を上回っているという内容を含むチャネル情報報告（ＲＵ）を送信する。
【００６３】
ステップＳ１０１２において、セクタαは、受信したチャネル情報報告（ＲＵ）に応じて、チャネルγ３及びγ４をハンドオフ候補とするチャネル情報報告（ＲＵ）を通知するための「Ａ９-Ｓｅｔｕｐ-Ａ８」メッセージを基地局制御装置ＰＣＦに送信する。
【００６４】
ステップＳ１０１３において、基地局制御装置ＰＣＦは、受信した「Ａ９-Ｓｅｔｕｐ-Ａ８」メッセージ（チャネル情報報報告）に応じて、セクタγにおいて、チャネルγ３及びγ４に対してリソースを割り当てる。
【００６５】
また、基地局制御装置ＰＣＦは、受信した「Ａ９-Ｓｅｔｕｐ-Ａ８」メッセージ（チャネル情報報報告）に応じて、セクタα及びβにおいて、その受信品質がハンドオフ候補閾値を下回ったチャネルα３及びβ４に対するリソースの割り当てを終了する。
【００６６】
そして、基地局制御装置ＰＣＦは、「Ａ９-Ｃｏｎｎｅｃｔ-Ａ８」メッセージによって、かかるリソース割り当て結果（チャネルγ３及びγ４）をセクタα、β、γに通知する。
【００６７】
ステップＳ１０１４において、セクタαは、「ＴＣＡ」によって、通信端末ＡＴに対して、セクタγにおけるリソース割り当て結果（チャネルγ３及びγ４）を通知する。
【００６８】
ステップＳ１０１５において、通信端末ＡＴは、受信したＴＣＡに応じて、セクタαとの間で設定されているチャネルα１及びα２、及び、セクタγとの間で設定されているチャネルγ３及びγ４を用いて通信を行うことが可能になる。
【００６９】
（本発明の第１の実施形態に係る移動通信システムの作用・効果）
本実施形態に係る移動通信システムによれば、チャネル情報報告送信部１６が、チャネルγ３をハンドオフ候補とすべきであると判定された場合（ステップＳ１００８）であっても、チャネルγ３をハンドオフ候補とすることによって通信端末ＡＴにおいてチャネル設定可能なセクタ数（「３」：セクタα、β、γ）が最大通信セクタ数（「３」）以上となる場合には、チャネルγ３をハンドオフ候補とするチャネル情報報告（ＲＵ）を送信しないように構成されているため、各通信端末ＡＴが、最大通信セクタ数以上のセクタとの間で設定されたチャネルを用いて通信を行うことを回避することができる。
【００７０】
本実施形態に係る移動通信システムによれば、チャネル情報報告送信部１６が、チャネルγ３をハンドオフ候補とすべきであると判定された場合（ステップＳ１００８）であっても、チャネルγ３をハンドオフ候補とすることによって通信端末ＡＴにおいてチャネル設定可能なセクタ数（「３」：セクタα、β、γ）が最大通信セクタ数（「３」）以上となる場合には、所定条件が満たされた場合に又は所定周期で送信すべきとされているチャネル情報報告（ＲＵ）の送信を停止することによって、チャネルγ３をハンドオフ候補とすることを回避し、各通信端末ＡＴが、最大通信セクタ数以上のセクタとの間で設定されたチャネルを用いて通信を行うことを回避することができる。
【００７１】
本実施形態に係る移動通信システムによれば、チャネル情報報告送信部１６が、チャネルγ３をハンドオフ候補とすべきであると判定された場合（ステップＳ１００８）であっても、チャネルγ３をハンドオフ候補とすることによって通信端末ＡＴにおいてチャネル設定可能なセクタ数（「３」：セクタα、β、γ）が最大通信セクタ数（「３」）以上となる場合には、送信するチャネル情報報告（ＲＵ）において、チャネルγ３についてのパイロット信号の受信品質を変更することによって、チャネルγ３をハンドオフ候補とすることを回避し、各通信端末ＡＴが、最大通信セクタ数以上のセクタとの間で設定されたチャネルを用いて通信を行うことを回避することができる。
【００７２】
（本発明の第２の実施形態に係る移動通信システムの構成）
図５を参照して、本発明の第２の実施形態に係る移動通信システムの構成について説明する。以下、本実施形態に係る移動通信システムの構成について、上述した本発明の第１の実施形態に係る移動通信システムの構成との相違点を主として説明する。
【００７３】
図５に示すように、本実施形態に係る基地局制御装置ＰＣＦは、通信制御部３１と、通信パラメータ記憶部３２と、データ通信部３３と、チャネル情報報告受信部３４と、チャネル割り当て制御部３５とを具備している。
【００７４】
通信制御部３１は、各通信端末ＡＴによって行われるデータ通信（パケット通信）を行うためのトラフィックチャネル（ＴｒＣＨ）の設定処理を行うように構成されている。
【００７５】
また、通信制御部３１は、かかるデータ通信を行うために必要な通信パラメータ（例えば、ハンドオフ候補閾値や最大同時通信セクタ数等）を設定するように構成されている。例えば、通信制御部３１は、各通信端末ＡＴから送信された「ＴＣＡ」を用いて、かかる最大同時通信セクタ数を設定するように構成されていてもよい（図３参照）。
【００７６】
通信制御部３１は、任意のタイミングで、基地局制御装置ＰＣＦの状況に従って、かかる通信パラメータを設定するように構成されていてもよい。
【００７７】
通信パラメータ記憶部３２は、各通信端末ＡＴに対して設定した通信パラメータを記憶するように構成されている。データ通信部３３は、通信パラメータ記憶部３２によって記憶されている通信パラメータを用いて、データ通信を行うように構成されている。例えば、データ通信部３３は、各通信端末ＡＴ宛てのデータについての振り分け処理やスケジューリング処理等を行うように構成されている。
【００７８】
チャネル情報報告受信部３４は、所定のパイロット信号の受信品質を含むチャネル情報報報告（ＲＵ）を受信するように構成されている。
【００７９】
チャネル割り当て制御部３５は、通信端末ＡＴから受信したチャネル情報報告（ＲＵ）に応じて、特定セクタにおいて、特定チャネルに対してリソースを割り当てるように構成されている。
【００８０】
例えば、チャネル割り当て制御部３５は、特定チャネルをハンドオフ候補とするチャネル情報報報告を受信した場合で、かつ、特定チャネルをハンドオフ候補とすることによって通信端末ＡＴにおいてチャネル設定可能なセクタ数が最大通信セクタ数以上となる場合、かかる特定チャネルに対してリソースを割り当てないように構成されている。
【００８１】
（本発明の第２の実施形態に係る移動通信システムの動作）
図１及び図６を参照して、本発明の第２の実施形態に係る移動通信システムの動作について説明する。本実施形態では、通信端末ＡＴは、図１に示すように、位置Ａ→位置Ｂ→位置Ｃ→位置Ｄの順に移動するものとする。また、本実施形態では、最大通信セクタ数は「３」であるものとする。
【００８２】
図６に示すように、ステップＳ２００１において、通信端末ＡＴは、位置Ａに存在しており、セクタαとの間で設定されているチャネルα１乃至α４を用いて通信を行っている。
【００８３】
ステップＳ２００２において、通信端末ＡＴは、位置Ａから位置Ｂに移動した結果、セクタβとの間で設定されるチャネルβ４をハンドオフ候補とすべきであると判断する。
【００８４】
ステップＳ２００３において、通信端末ＡＴは、チャネルβ４についてのパイロット信号の受信品質がハンドオフ候補閾値を上回っているという内容を含むチャネル情報報告（ＲＵ）を送信する。ここで、チャネルα４についての受信品質はハンドオフ候補閾値を下回っているものとする。
【００８５】
ステップＳ２００４において、セクタαは、受信したチャネル情報報告（ＲＵ）に応じて、受信したチャネル情報報告（ＲＵ）を通知するための「Ａ９-Ｓｅｔｕｐ-Ａ８」メッセージを基地局制御装置ＰＣＦに送信する。
【００８６】
ステップＳ２００５において、基地局制御装置ＰＣＦは、受信した「Ａ９-Ｓｅｔｕｐ-Ａ８」メッセージ（チャネル情報報報告）に応じて、チャネルβ４をハンドオフ候補とすることによって通信端末ＡＴにおいてチャネル設定可能なセクタ数（「２」：セクタα、β）が最大通信セクタ数（「３」）以上とならないので、セクタβにおいてチャネルβ４に対してリソースを割り当てる。
【００８７】
また、基地局制御装置ＰＣＦは、受信した「Ａ９-Ｓｅｔｕｐ-Ａ８」メッセージ（チャネル情報報報告）に応じて、セクタαにおいて、その受信品質がハンドオフ候補閾値を下回っているチャネルα４に対するリソースの割り当てを終了する。
【００８８】
ステップＳ２００６において、基地局制御装置ＰＣＦは、「Ａ９-Ｃｏｎｎｅｃｔ-Ａ８」メッセージによって、かかるリソース割り当て結果（チャネルβ４）をセクタα及びセクタβに通知する。
【００８９】
ステップＳ２００７において、セクタαは、「ＴＣＡ」によって、通信端末ＡＴに対して、セクタβにおけるリソース割り当て結果（チャネルβ４）を通知する。
【００９０】
ステップＳ２００８において、通信端末ＡＴは、受信したＴＣＡに応じて、セクタαとの間で設定されているチャネルα１乃至α３、及び、セクタβとの間で設定されているチャネルβ４を用いて通信を行うことができる状態になる。
【００９１】
ステップＳ２００９において、通信端末ＡＴは、位置Ｂから位置Ｃに移動した結果、セクタγとの間で設定されるチャネルγ３をハンドオフ候補とすべきであると判断する。
【００９２】
ステップＳ２０１０において、通信端末ＡＴは、チャネルγ３についてのパイロット信号の受信品質がハンドオフ候補閾値を上回っているという内容を含むチャネル情報報告（ＲＵ）を送信する。
【００９３】
ステップＳ２０１１において、セクタαは、受信したチャネル情報報告（ＲＵ）に応じて、受信したるチャネル情報報告（ＲＵ）を通知するための「Ａ９-Ｓｅｔｕｐ-Ａ８」メッセージを基地局制御装置ＰＣＦに送信する。
【００９４】
ステップＳ２０１２において、基地局制御装置ＰＣＦは、受信した「Ａ９-Ｓｅｔｕｐ-Ａ８」メッセージ（チャネル情報報報告）に応じて、チャネルγ３をハンドオフ候補とすることによって通信端末ＡＴにおいてチャネル設定可能なセクタ数（「３」：セクタα、β、γ）が最大通信セクタ数（「３」）以上となるので、セクタγにおいて、チャネルγ３に対してリソースを割り当てない。
【００９５】
したがって、かかる場合、基地局制御装置ＰＣＦは、「Ａ９-Ｓｅｔｕｐ-Ａ８」メッセージ（チャネル情報報報告）に対応する「Ａ９-Ｃｏｎｎｅｃｔ-Ａ８」メッセージを送信しない（ステップＳ２０１３）。
【００９６】
この結果、通信端末ＡＴは、位置Ｃにおいて、チャネルγ３をハンドオフ候補とすることができないため、セクタαとの間で設定されているチャネルα１乃至α３、及び、セクタβとの間で設定されているチャネルβ４を用いて通信を行う状態が継続される。
【００９７】
ステップＳ２０１４において、通信端末ＡＴは、位置Ｃから位置Ｄに移動した結果、チャネルα３及びβ４についてのパイロット信号の受信品質がハンドオフ候補閾値を下回るとともに、セクタγとの間で設定されるチャネルγ３及びγ４をハンドオフ候補とすべきであると判断する。
【００９８】
ステップＳ２０１５において、通信端末ＡＴは、チャネルγ３及びγ４についてのパイロット信号の受信品質がハンドオフ候補閾値を上回っているという内容を含むチャネル情報報告（ＲＵ）を送信する。
【００９９】
ステップＳ２０１６において、セクタαは、受信したチャネル情報報告（ＲＵ）に応じて、受信したチャネル情報報告（ＲＵ）を通知するための「Ａ９-Ｓｅｔｕｐ-Ａ８」メッセージを基地局制御装置ＰＣＦに送信する。
【０１００】
ステップＳ２０１７において、基地局制御装置ＰＣＦは、受信した「Ａ９-Ｓｅｔｕｐ-Ａ８」メッセージ（チャネル情報報報告）に応じて、チャネルγ３及びγ４をハンドオフ候補とすることによって通信端末ＡＴにおいてチャネル設定可能なセクタ数（「２」：セクタα、γ）が最大通信セクタ数（「３」）以上とならない（セクタβが除外される）ので、セクタγにおいて、チャネルγ３及びγ４に対してリソースを割り当てる。
【０１０１】
また、基地局制御装置ＰＣＦは、受信した「Ａ９-Ｓｅｔｕｐ-Ａ８」メッセージ（チャネル情報報報告）に応じて、セクタα、βにおいて、その受信品質がハンドオフ候補閾値を下回るチャネルα３及びβ４に対するリソースの割り当てを終了する。
【０１０２】
ステップＳ２０１８において、基地局制御装置ＰＣＦは、「Ａ９-Ｃｏｎｎｅｃｔ-Ａ８」メッセージによって、かかるリソース割り当て結果（チャネルγ３及びγ４）をセクタα、β、γに通知する。
【０１０３】
ステップＳ２０１９において、セクタαは、「ＴＣＡ」によって、通信端末ＡＴに対して、セクタγにおけるリソース割り当て結果（チャネルγ３及びγ４）を通知する。
【０１０４】
ステップＳ２０２０において、通信端末ＡＴは、受信したＴＣＡに応じて、セクタαとの間で設定されているチャネルα１及びα２、及び、セクタγとの間で設定されているチャネルγ３及びγ４を用いて通信を行うことができる状態になる。
【０１０５】
（本発明の第２の実施形態に係る移動通信システムの作用・効果）
本実施形態に係る移動通信システムによれば、チャネル割り当て制御部３５が、通信端末ＡＴから、チャネルγ３をハンドオフ候補とするチャネル情報報報告（ＲＵ）を受信した場合（ステップＳ２００４）であっても、チャネルγ３をハンドオフ候補とすることによって通信端末ＡＴにおいてチャネル設定可能なセクタ数（「３」：セクタα、β、γ）が最大通信セクタ数（「３」）以上となる場合には、セクタγにおいて、チャネルγ３に対してリソースを割り当てないように構成されているため、各通信端末ＡＴが、最大通信セクタ数以上のセクタとの間で設定されたチャネルを用いて通信を行うことを回避することができる。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１０７】
【図１】一般的な移動通信システムの全体構成図である。
【図２】本発明の第１の実施形態に係る通信端末の機能ブロック図である。
【図３】本発明の第１の実施形態に係る移動通信システムで用いられるＴＣＡのフォーマットの一例を示す図である。
【図４】本発明の第１の実施形態に係る移動通信システムにおけるハンドオフ候補処理を示すシーケンス図である。
【図５】本発明の第２の実施形態に係る基地局制御装置の機能ブロック図である。
【図６】本発明の第２の実施形態に係る移動通信システムにおけるハンドオフ候補処理を示すシーケンス図である。
【符号の説明】
【０１０８】
ＡＴ…通信端末
１１…通信設定部
１２、３２…通信パラメータ記憶部
１３、３３…データ通信部
１４…パイロット信号監視部
１５…チャネル割り当て判定部
１６…チャネル情報報告送信部
ＰＣＦ…基地局制御装置
３１…通信制御部
３４…チャネル情報報告受信部
３５…チャネル割り当て制御部
【図１】
2007174346.tif 000003
【図２】
2007174346.tif 000004
【図３】
2007174346.tif 000005
【図４】
2007174346.tif 000006
【図５】
2007174346.tif 000007
【図６】
2007174346.tif 000008